(57)【要約】【課題】定着装置内に詰まった用紙を適切に取り除くことができる画像形成装置を提供する。【解決手段】複合機１１は、回転運動機構３１を備える。回転運動機構３１は、第二外歯３４、および内歯３５が設けられた紙詰まり解除ギア３２、第三外歯４８、４９が設けられており、紙詰まり解除ギア３２の内径側において内歯３５と第三外歯４８、４９とが噛み合うよう配置される内径側ギア４６、４７、サイドカバー１９の開放時に第一外歯３０と第二外歯３４が噛み合い、サイドカバー１９の閉塞時に第一外歯３０と第二外歯３４との噛み合いが解除されるよう設けられる紙詰まり解除ギア３２を支持する支持部３３、および直線往復運動が可能であり、直線往復運動により内径側ギア４６、４７を一方方向に回転させるピストン機構５１を含む。回転運動機構３１は、第一外歯３０と第二外歯３４との噛み合い時に直線往復運動を回転運動に変換して紙詰まり解除ギア３２を一方方向に回転させる。【選択図】図６
2019139084.tif 000002
【特許請求の範囲】
【請求項１】
用紙に画像を形成する画像形成装置であって、
トナー像を形成する現像部と、
前記現像部により形成された前記トナー像を用紙に転写する転写部と、
第一外歯が設けられて回転軸に取り付けられる加熱ローラー回転ギアを有し、回転可能な加熱部材である加熱ローラーと、回転可能な加圧部材である加圧ローラーとを含み、前記加熱ローラーと前記加圧ローラーとの間に形成される加圧領域を前記トナー像が転写された前記用紙が通過することで、前記トナー像を加熱および加圧して前記用紙に定着させる定着装置と、
前記定着装置を覆うように配置され、前記画像形成装置に対して開閉可能に設けられるサイドカバーと、
第二外歯、および内歯が設けられた紙詰まり解除ギア、第三外歯が設けられており、前記紙詰まり解除ギアの内径側において前記内歯と前記第三外歯とが噛み合うよう配置される内径側ギア、前記サイドカバーを閉塞状態から解放状態にした時に前記第一外歯と前記第二外歯が噛み合い、前記サイドカバーを開放状態から閉塞状態にした時に前記第一外歯と前記第二外歯との噛み合いが解除されるよう設けられる紙詰まり解除ギアを支持する支持部、および直線往復運動が可能であり、直線往復運動により前記内径側ギアを一方方向に回転させるピストン機構を含み、前記第一外歯と前記第二外歯との噛み合い時に直線往復運動を回転運動に変換して前記紙詰まり解除ギアを一方方向に回転させる回転運動機構とを備える、画像形成装置。
【請求項２】
前記ピストン機構は、直線往復運動が可能に支持される棒状部と、
前記棒状部から外方側に突出するように設けられており、その端部が前記第三外歯と接触して前記内径側ギアを回転させる突出部とを含む、請求項１に記載の画像形成装置。
【請求項３】
前記突出部は、前記棒状部の直線往復運動の方向に対して傾斜して設けられている、請求項２に記載の画像形成装置。
【請求項４】
前記内径側ギアは、複数設けられている、請求項１〜請求項３のいずれか１項に記載の画像形成装置。
【請求項５】
複数設けられた前記内径側ギアに対応して、前記突出部は複数設けられている、請求項４に記載の画像形成装置。
【請求項６】
前記ピストン機構は、前記棒状部の端部に設けられ、前記直線往復運動に沿う方向に付勢する付勢機構を含む、請求項２〜請求項５のいずれか１項に記載の画像形成装置。
【請求項７】
前記支持部は、所定の箇所を回転中心軸として回転運動が可能な支持棒を含み、
前記支持棒の一方端部に前記紙詰まり解除ギアが取り付けられており、
前記回転運動機構は、前記サイドカバーの裏面から突出するように設けられ、前記サイドカバーを開放状態から閉塞状態にした時に前記支持棒の他方端部を押圧して前記回転中心軸を中心として前記支持棒を第一の方向に回転させて、前記第一外歯と前記第二外歯との噛み合いを解除させ、前記カバーを閉塞状態から解放状態にした時に前記支持棒の他方端部の押圧状態を解除して前記回転中心軸を中心として前記支持棒を第一の方向と逆の第二の方向に回転させて、前記第一外歯と前記第二外歯とを噛み合わせる突起部を含む、請求項１〜請求項６のいずれか１項に記載の画像形成装置。
【請求項８】
前記回転運動機構は、前記支持棒の他方端部に設けられ、前記サイドカバーを閉塞状態から解放状態にした時に前記支持棒を前記第二の方向に回転させるよう付勢する付勢部材を含む、請求項７に記載の画像形成装置。
【発明の詳細な説明】
【技術分野】
【０００１】
この発明は、画像形成装置に関するものである。
【背景技術】
【０００２】
複合機に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナーを供給して可視画像とした後、用紙にトナーを転写して定着させ、装置外に出力する。
【０００３】
ここで、画像形成装置に含まれ、用紙にトナーを定着させる定着装置における紙詰まりの解消に関する技術が、特開平９−３４２９９号公報（特許文献１）、および特開平８−３１４２１７号公報（特許文献２）に開示されている。
【０００４】
特許文献１に開示の画像形成装置は、加圧によりニップを形成する定着装置を備え、装置本体に対して開閉可能なカバーの開閉動作と前記定着装置のニップ加圧解除動作とを連動させる手段を設けたことを特徴としている。
【０００５】
特許文献２に開示の画像形成装置は、熱ローラー定着装置と、開閉可能な本体カバーとを有する。特許文献２に開示の画像形成装置は、前記定着装置を、画像形成装置本体の駆動系からの駆動力が伝達される駆動位置と、駆動力の伝達が解除される解除位置とに移動可能に設けるとともに、前記本体カバーの開閉に連動して、カバー開時に前記定着装置を前記解除位置に移動させ、カバー閉時に前記定着装置を前記駆動位置に移動させる定着装置移動手段を設けたことを特徴としている。
【先行技術文献】
【特許文献】
【０００６】
【特許文献１】特開平９−３４２９９号公報
【特許文献２】特開平８−３１４２１７号公報
【発明の概要】
【発明が解決しようとする課題】
【０００７】
特許文献１、および特許文献２によると、カバーの開閉に連動させて定着装置を構成するローラーの加圧を解除することとしている。そして、ユーザーが詰まった用紙を手で引き抜いて取り除く構成としている。しかし、このような構成によれば、ユーザーの手で引き抜く力加減によっては、詰まった用紙が途中で破れたりして、定着装置内に残存するおそれがある。また、このような詰まった用紙の取り除き作業中に未定着のトナーが手に付着することもあり、ユーザーにとって好ましくない。特にカバー開閉時の定着装置付近スペースが狭い場合には、ユーザーの作業が煩雑となってしまう。
【０００８】
この発明の目的は、定着装置内に詰まった用紙を適切に取り除くことができる画像形成装置を提供することである。
【課題を解決するための手段】
【０００９】
この発明に係る画像形成装置は、用紙に画像を形成する。画像形成装置は、現像部と、転写部と、定着装置と、サイドカバーと、回転運動機構とを備える。現像部は、トナー像を形成する。転写部は、現像部により形成されたトナー像を用紙に転写する。定着装置は、第一外歯が設けられて回転軸に取り付けられる加熱ローラー回転ギアを有し、回転可能な加熱部材である加熱ローラーと、回転可能な加圧部材である加圧ローラーとを含む。定着装置は、加熱ローラーと加圧ローラーとの間に形成される加圧領域をトナー像が転写された用紙が通過することで、トナー像を加熱および加圧して用紙に定着させる。サイドカバーは、定着装置を覆うように配置され、画像形成装置に対して開閉可能に設けられる。回転運動機構は、第二外歯、および内歯が設けられた紙詰まり解除ギア、第三外歯が設けられており、紙詰まり解除ギアの内径側において内歯と第三外歯とが噛み合うよう配置される内径側ギア、サイドカバーを閉塞状態から解放状態にした時に第一外歯と第二外歯が噛み合い、サイドカバーを開放状態から閉塞状態にした時に第一外歯と第二外歯との噛み合いが解除されるよう設けられる紙詰まり解除ギアを支持する支持部、および直線往復運動が可能であり、直線往復運動により内径側ギアを一方方向に回転させるピストン機構を含む。回転運動機構は、第一外歯と第二外歯との噛み合い時に直線往復運動を回転運動に変換して紙詰まり解除ギアを一方方向に回転させる。
【発明の効果】
【００１０】
このような画像形成装置によると、定着装置で紙詰まりが発生した場合、サイドカバーを開放状態として、第一外歯と第二外歯とが噛み合い、加熱ローラー回転ギアと紙詰まり解除ギアとを噛み合わせられる。そして、回転運動機構に含まれるピストン機構により直線往復運動を回転運動に変換して紙詰まり解除ギアを一方方向に回転させる。そうすると、紙詰まり解除ギアと噛み合っている加熱ローラー回転ギアも一方方向に回転する。その結果、加熱ローラー回転ギアの回転により詰まった用紙が排出されることとなる。この場合、ピストン機構を利用してユーザーの指により直線往復運動を付与することができ、ユーザー自身が加熱ローラーを回転させることはない。したがって、ユーザーは、詰まった用紙を取り除く際に、未定着のトナーで手が汚れることはなく、かつ、用紙が途中で破れたり、引きちぎられたりするおそれが低減される。また、加熱ローラーを直接回転させるようなユーザーの煩雑な作業を回避することができ、かつ、高温となった加熱ローラーにユーザーの手が直接触れることはない。また、サイドカバーの閉塞時には加熱ローラー回転ギアと紙詰まり解除ギアとの噛み合いが解除されるため、画像形成装置の駆動系における運動エネルギーのロスを回避することができる。したがって、このような画像形成装置によると、定着装置内に詰まった用紙を適切に取り除くことができる。
【図面の簡単な説明】
【００１１】
【図１】この発明の一実施形態に係る画像形成装置を複合機に適用した場合の複合機の外観を概略的に示す斜視図である。
【図２】定着装置を示す斜視図である。
【図３】図２に示す定着装置の一部をサイド側から見た図である。
【図４】図１に示す画像形成装置に備えられる回転運動機構の構成を概略的に示す図であり、サイドカバーが閉塞された状態を示す。
【図５】図１に示す画像形成装置に備えられる回転運動機構の構成を概略的に示す図であり、サイドカバーが開放された状態を示す。
【図６】図１に示す画像形成装置に備えられる回転運動機構の一部の構成を概略的に示す図である。
【発明を実施するための形態】
【００１２】
以下、この発明の実施の形態を説明する。なお、以下の図面において同一または相当する部分には同一の参照番号を付しその説明は繰返さない。
【００１３】
図１は、この発明の一実施形態に係る画像形成装置を複合機に適用した場合の複合機の外観を概略的に示す斜視図である。図１において、矢印Ｄ１で示す向きで、フロント側からリア側へ向かう向きを示している。図１を参照して、複合機１１は、画像処理に関し、コピー機能、プリンター機能、ファクシミリ機能等、複数の機能を有する。複合機１１は、複合機１１の本体側に対して側部に配置され、開閉可能なサイドカバー１９を備える。図１に示す状態においては、サイドカバー１９は閉塞された状態、すなわち、閉じられた状態である。サイドカバー１９は、図１中の矢印Ｄ２で示す向きに開放される。なお、図１中、後述する制御部１２は、一点鎖線で概略的に示し、後述する画像形成部１５は、二点鎖線で概略的に示し、後述する現像部２４、転写部２１、および後述する定着装置２５は、破線で概略的に示している。
【００１４】
複合機１１は、制御部１２と、操作部１３と、画像読み取り部１４と、画像形成部１５と、給紙カセット１６とを備える。制御部１２は、複合機１１全体の制御を行う。操作部１３は、画像形成の部数、すなわち、印刷部数や用紙のサイズ、用紙の種類、用紙の搬送速度、画像形成の開始の命令、階調等の画像形成の条件といった画像形成に関するユーザーからの入力を受け付ける。操作部１３は、複合機１１側から発信される情報やユーザーの入力内容を表示する表示部としての表示画面１７を含む。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）１８を含む。画像読み取り部１４は、ＡＤＦ１８または原稿を載置する載置台上にセットされた原稿の画像を読み取る。給紙カセット１６は、複数枚の用紙をその内部に収納することができる。画像形成部１５は、現像部２４と、転写部２１と、定着装置２５とを含む。現像部２４は、トナー像を形成する。転写部２１は、現像部２４により形成されたトナー像を用紙に転写する。なお、図１においては、現像部２４、および転写部２１を同じ破線で示している。定着装置２５は、トナー像を加熱および加圧して用紙に定着させる。画像形成部１５は、画像読み取り部１４により読み取られた原稿の画像データやネットワークを介して送信された画像データを基に、給紙カセット１６から搬送されてきた用紙に画像を形成して印刷する。なお、上記したサイドカバー１９は、閉塞された状態において、複合機１１の内部に配置される定着装置２５を覆うように配置される。なお、複合機１１には、いわゆるインターロック機構が設けられており、サイドカバー１９が開放された際には、画像形成部１５等への電源の供給は遮断される。
【００１５】
次に、定着装置２５の構成について簡単に説明する。図２は、定着装置２５を示す斜視図である。図３は、図２に示す定着装置２５の一部をサイド側から見た図である。なお、図３においては、図２に示す定着装置２５の一部の部材２０、２３を取り除いた状態で示している。
【００１６】
併せて図２、および図３を参照して、定着装置２５は、加熱部材である加熱ローラー２６と、加圧部材である加圧ローラー２７と、ヒーター２８と、回転軸に取り付けられる加熱ローラー回転ギア２９と、定着装置２５の筐体の一部を構成する部材２０、２３とを備える。部材２３は、複合機１１に装着された際にフロント側に配置される。部材２０は、板状であって、複合機１１に装着された際に複合機１１の内方側に配置される。加熱ローラー２６は、中空の円筒状であって、回転可能に設けられている。加熱ローラー回転ギア２９は、加熱ローラー２６の回転軸に取り付けられている。加熱ローラー回転ギア２９は、加熱ローラー２６の回転軸の一方端部に設けられている。なお、図３において図示は省略しているが、加熱ローラー回転ギア２９には、第一外歯が設けられている。加熱ローラー２６の内部には、ヒーター２８が配置される。加圧ローラー２７は、中実の円柱状であって、回転可能に設けられている。加熱ローラー２６と加圧ローラー２７とはそれぞれ接触して設けられている。加熱ローラー２６、および加圧ローラー２７は、ヒーター２８によって加熱される。加熱ローラー２６と加圧ローラー２７との間に、トナー像が未定着の用紙が搬送される。そして、回転する加熱ローラー２６、および加圧ローラー２７の加熱および加圧によりトナー像が用紙に定着される。すなわち、加熱ローラー２６、および加圧ローラー２７は、それぞれ回転可能であって現像部２４によりトナー像が形成された用紙と接触してトナー像を用紙に定着させる。
【００１７】
次に、複合機１１に備えられる回転運動機構３１の構成について説明する。図４は、図１に示す複合機１１に備えられる回転運動機構３１の構成を概略的に示す図であり、サイドカバー１９が閉塞された状態を示す。図５は、図１に示す複合機１１に備えられる回転運動機構３１の構成を概略的に示す図であり、サイドカバー１９が開放された状態、すなわち、開けられた状態を示す。図６は、図１に示す複合機１１に備えられる回転運動機構３１の一部の構成を概略的に示す図である。図６は、図４、および図５に図示する紙詰まり解除ギア３２を、紙面裏側から見た図に相当する。なお、図４、および図５においては、加熱ローラー回転ギア２９、および第一外歯３０も図示している。
【００１８】
さらに図４〜図６を参照して、回転運動機構３１は、加熱ローラー２６を回転させる回転軸２２に取り付けられた紙詰まり解除ギア３２と、支持部３３とを含む。紙詰まり解除ギア３２は、定着装置２５に紙詰まりが発生した時に、詰まった用紙を取り除く際に使用される。紙詰まり解除ギア３２には、第二外歯３４が設けられている。なお、紙詰まり解除ギア３２には、内歯３５も設けられている。回転運動機構３１は、直線往復運動を回転運動に変換して紙詰まり解除ギア３２を一方方向に回転させる。
【００１９】
支持部３３は、サイドカバー１９を閉塞状態から解放状態にした時に第一外歯３０と第二外歯３４とが噛み合い、サイドカバー１９を開放状態から閉塞状態にした時に第一外歯３０と第二外歯３４との噛み合いが解除されるよう設けられる。支持部３３は、所定の箇所を回転中心軸３７として回転運動が可能な支持棒３６を含む。所定の箇所である回転中心軸３７は、矢印Ｄ３で示す向きまたはその逆の向きに回転する支持棒３６の支点であり、支持棒３６のちょうど中央に位置する。支持棒３６の一方端部３８には、紙詰まり解除ギア３２が取り付けられている。支持棒３６の他方端部３９には、第二の付勢部材としての第二の付勢バネ４１が設けられている。第二の付勢バネ４１は、複合機１１の本体の一部、具体的には定着装置２５の一部を構成する部材４２に取り付けられている。部材４２は、部材２０、または部材２３の一部を構成し、図２において、後述する突起部４４等は視認できない状態である。図４に示す状態においては、第二の付勢バネ４１は、矢印Ｄ４で示す向きに押し縮められ、エネルギーを蓄えた状態である。図５に示す状態においては、第二の付勢バネ４１は、自然長となっている。
【００２０】
サイドカバー１９には、サイドカバー１９の裏面４３から突出する突起部４４が設けられている。回転運動機構３１は、突起部４４を含む。突起部４４は、サイドカバー１９を開放状態から閉塞状態にした時、支持棒３６の他方端部３９を押圧して回転中心軸３７を中心として支持棒３６を図５中の矢印Ｄ３で示す第一の方向に回転させて、第一外歯３０と第二外歯３４との噛み合いを解除させる。また、突起部４４は、サイドカバー１９を閉塞状態から開放状態にした時、支持棒３６の他方端部３９の押圧状態を解除して回転中心軸３７を中心として支持棒３６を第一の方向と逆の第二の方向に回転させて、第一外歯３０と第二外歯３４とを噛み合わせる。
【００２１】
また、回転運動機構３１は、二つの内径側ギア４６、４７と、直線往復運動が可能なピストン機構５１とを備える。ピストン機構５１の直線往復運動は、図６中の矢印Ｐで示す向き、またはその逆の向きによって示される。内径側ギア４６、４７には、それぞれ第三外歯４８、４９が設けられている。内径側ギア４６、４７は、それぞれ間隔をあけて紙詰まり解除ギア３２の内方側に配置されている。この場合、紙詰まり解除ギア３２に設けられた内歯３５と、内径側ギア４６、４７のそれぞれの第三外歯４８、４９とが噛み合うように配置される。
【００２２】
ピストン機構５１は、直線往復運動により内径側ギア４６、４７を一方方向に回転させる。ピストン機構５１は、棒状部５２と、棒状部５２の一方端部に設けられる押圧部５３と、棒状部５２から外方側に突出するように設けられる二つの突出部５４、５５とを含む。棒状部５２は、定着装置２５の一部によって直線往復運動が可能なように支持されている。突出部５４、５５は、直線往復運動の方向に対して傾斜して設けられている。この場合、突出部５４、５５は、それぞれ同じ方向に傾斜している。突出部５４の端部５６は、第三外歯４８と接触するよう設けられている。突出部５５の端部５７は、第三外歯４９と接触するよう設けられている。
【００２３】
棒状部５２の他方側の端部には、直線往復運動に沿う方向に付勢する第一の付勢部材としての第一の付勢バネ６１が設けられている。すなわち、回転運動機構３１は、第一の付勢バネ６１を含む。第一の付勢バネ６１は、部材４２に取り付けられている。図６に示す状態において、第一の付勢バネ６１は、自然長である。図６中の矢印Ｐで示す向きに押し縮められると、付勢力により元の形状に戻ろうとする。
【００２４】
ここで、このような構成を備える複合機１１について、定着装置２５内で紙詰まりが発生した場合について説明する。用紙の画像を形成している際に紙詰まりが発生すると、複合機１１の動作が停止する。そして、表示画面１７等において、定着装置２５内で紙詰まりが発生したことが報知される。
【００２５】
ユーザーはこの時、定着装置２５内で詰まった用紙を取り除こうとサイドカバー１９を開放する。そうすると、回転運動機構３１は、図４に示す状態から図５に示す状態となり、第一外歯３０と第二外歯３４が噛み合うこととなる。そして、このような状態から、ユーザーは、ピストン機構５１における押圧部５３を矢印Ｐで示す向きに押し下げる。そうすると、二つの突出部５４、５５のそれぞれの端部５６、５７により、二つの内径側ギア４６、４７の第三外歯４８、４９が押されて、内径側ギア４６は、矢印Ｒ２で示す向き、内径側ギア４７については、矢印Ｒ３で示す向きに回転する。その結果、内径側ギア４６、４７の第三外歯４８、４９のそれぞれと紙詰まり解除ギア３２の内歯３５が噛み合っているため、紙詰まり解除ギア３２は、図６中の矢印Ｒ１で示す向きに回転する。そして、紙詰まり解除ギア３２の第二外歯３４と加熱ローラー回転ギア２９の第一外歯３０とが噛み合っているため、加熱ローラー２６は回転する。
【００２６】
ある程度、棒状部５２が押し下げられた後にユーザーが押圧部５３の押圧を開放すると、第一の付勢バネ６１の付勢力により、棒状部５２が矢印Ｐと逆の向きに押される。この時、突出部５４、５５はそれぞれ傾斜して設けられており、端部５６、５７からの第三外歯４８、４９への力の伝達は回避され、内径側ギア４６、４７をそれぞれ矢印Ｒ２で示す向きと逆の向き、矢印Ｒ３で示す向きと逆の向きに回転させることはない。そして、再び、押圧部５３が押圧前に近い位置にまで戻ると、再度ユーザーは押圧部５３を矢印Ｐで示す向きに押す。このようにして、直線往復運動を繰り返す。そして、加熱ローラー２６を回転させて、詰まった用紙を取り除くようにする。
【００２７】
すなわち、このような複合機１１によると、定着装置２５で紙詰まりが発生した場合、サイドカバー１９を開放状態として、第一外歯３０と第二外歯３４とが噛み合い、加熱ローラー回転ギア２９と紙詰まり解除ギア３２とを噛み合わせられる。そして、回転運動機構３１に含まれるピストン機構５１により直線往復運動を回転運動に変換して紙詰まり解除ギア３２を一方方向に回転させる。そうすると、紙詰まり解除ギア３２と噛み合っている加熱ローラー回転ギア２９も一方方向に回転する。その結果、加熱ローラー回転ギア２９の回転により詰まった用紙が排出されることとなる。この場合、ピストン機構５１を利用してユーザーの指により直線往復運動を付与することができ、ユーザー自身が加熱ローラー２６を回転させることはない。したがって、ユーザーは、詰まった用紙を取り除く際に、未定着のトナーで手が汚れることはなく、かつ、用紙が途中で破れたり、引きちぎられたりするおそれが低減される。また、加熱ローラー２６を直接回転させるようなユーザーの煩雑な作業を回避することができ、かつ、高温となった加熱ローラー２６にユーザーの手が直接触れることはない。また、サイドカバー１９の閉塞時には加熱ローラー回転ギア２９と紙詰まり解除ギア３２との噛み合いが解除されるため、複合機１１の駆動系における運動エネルギーのロスを回避することができる。したがって、このような複合機１１によると、定着装置２５内に詰まった用紙を適切に取り除くことができる。
【００２８】
この場合、紙詰まり解除ギア３２は、内歯３５を含み、回転運動機構３１は、第三外歯４８、４９が設けられており、紙詰まり解除ギア３２の内径側において内歯３５と第三外歯４８、４９とが噛み合うよう配置される内径側ギア４６、４７と、直線往復運動が可能であり、直線往復運動により内径側ギア４６、４７を一方方向に回転させるピストン機構５１とを含む構成である。したがって、より適切に定着装置２５内に詰まった用紙を適切に取り除くことができる。
【００２９】
また、この場合、ピストン機構５１は、直線往復運動が可能に支持される棒状部５２と、棒状部５２から外方側に突出するように設けられており、その端部が第三外歯４８、４９と接触して内径側ギア４６を回転させる突出部５４、５５とを含むため、棒状部５２、および突出部５４、５５により、より円滑に定着装置２５内に詰まった用紙を適切に取り除くことができる。
【００３０】
また、この場合、突出部５４、５５は、棒状部５２の直線往復運動の方向に対して傾斜して設けられているため、より効率的に定着装置２５内に詰まった用紙を適切に取り除くことができる。
【００３１】
また、この場合、支持部３３は、所定の箇所を回転中心軸として回転運動が可能な支持棒３６を含み、支持棒３６の一方端部３８に紙詰まり解除ギア３２が取り付けられており、回転運動機構３１は、サイドカバー１９の裏面４３から突出するように設けられ、サイドカバー１９を開放状態から閉塞状態にした時に支持棒３６の他方端部３９を押圧して回転中心軸３７を中心として支持棒３６を第一の方向に回転させて、第一外歯３０と第二外歯３４との噛み合いを解除させ、サイドカバー１９を閉塞状態から解放状態にした時に支持棒３６の他方端部３９の押圧状態を解除して回転中心軸３７を中心として支持棒３６を第一の方向と逆の第二の方向に回転させて、第一外歯３０と第二外歯３４とを噛み合わせる突起部４４を含む構成である。したがって、サイドカバー１９の開閉状態と、第一外歯３０および第二外歯３４の噛み合い状態をより円滑に連動させることができる。
【００３２】
また、回転運動機構３１は、支持棒３６の他方端部３９に設けられ、サイドカバー１９を閉塞状態から解放状態にした時に支持棒３６を第二の方向に回転させるよう付勢する第二の付勢バネ４１を含むため、適切にサイドカバー１９の開閉状態と、第一外歯３０および第二外歯３４の噛み合い状態を連動させることができる。
【００３３】
なお、上記の実施の形態において、ピストン機構５１は、棒状部５２の端部に設けられ、直線往復運動に沿う方向に付勢するバネやゴム等を備える付勢機構を含んでもよい。付勢部材の一方端部が棒状部５２の端部に取り付けられ、付勢機構の他方端部が定着装置２５等のいずれかの箇所に固定される。こうすることにより、付勢機構の復元力や反発力を利用して、棒状部５２を引き戻す労力を軽減することができる。したがって、棒状部５２を直線往復運動させる際のユーザーの負担を軽減して、ユーザーの作業の効率化を図ることができる。
【００３４】
なお、上記の実施の形態において、内径側ギア４６，４７は、二つ設けることとしたが、これに限らず、内径側ギア４６、４７は、複数、すなわち、三つ以上設けられていてもよい。また、一つであってもよい。さらに、突出部５４、５５についても、複数設けられた内径側ギア４６、４７に対応して、複数設けられていてもよい。もちろん、一つの突出部５４、５５の形状をアレンジ等して、複数の内径側ギア４６、４７を一つの突出部５４、５５で回転させるよう構成してもよい。
【００３５】
また、上記の実施の形態においては、突出部５４、５５は、棒状部５２の直線往復運動に沿う方向に傾斜して設けられていることとしたが、これに限らず、突出部５４、５５は、棒状部５２の直線往復運動に沿う方向に延びるよう設けることとしてもよい。
【００３６】
また、上記の実施の形態においては、第二の付勢バネ４１を備える構成としたが、これに限らず、第二の付勢バネ４１を備えない構成としてもよい。
【００３７】
なお、上記の実施の形態においては、加熱ローラー２６の回転軸の一方端部に紙詰まり解除ギア３２を設けることとしたが、これに限らず、加熱ローラー２６と加圧ローラー２７の双方に設けることとしてもよい。さらに、回転方向について、図６中の矢印Ｒ１で示す向きと逆向きに回転させる構成としてもよい。
【００３８】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３９】
この発明に係る画像形成装置は、定着装置内に詰まった用紙の適切な除去が要求される場合に、特に有効に利用される。
【符号の説明】
【００４０】
１１  複合機、１２  制御部、１３  操作部、１４  画像読み取り部、１５  画像形成部、１６  給紙カセット、１７  表示画面、１８  ＡＤＦ、１９  サイドカバー、２１  転写部、２２  回転軸、２３，４２  部材、２４  現像部、２５  定着装置、２６  加熱ローラー、２７  加圧ローラー、２８  ヒーター、２９  加熱ローラー回転ギア、３０  第一外歯、３１  回転運動機構、３２  紙詰まり解除ギア、３３  支持部、３４  第二外歯、３５  内歯、３６  支持部、３７  回転中心軸、３８，３９，５６，５７  端部、４１  第二の付勢バネ、４３  裏面、４４  突起部、４６，４７  内径側ギア、４８，４９  第三外歯、５１  ピストン機構、５２  棒状部、５３  押圧部、５４，５５  突出部、６１  第一の付勢バネ。
【図１】
2019139084.tif 000003
【図２】
2019139084.tif 000004
【図３】
2019139084.tif 000005
【図４】
2019139084.tif 000006
【図５】
2019139084.tif 000007
【図６】
2019139084.tif 000008